(57)【要約】【課題】「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１１/＃１２配下のセル＃１１/＃１２で通信を行うという運用が行われる場合であっても、レイヤ２における異常が検出された場合に適切な対応を取る。【解決手段】本発明に係る移動通信システムでは、無線基地局ｅＮＢ＃１１/＃１２は、移動局ＵＥとの間の下りリンクのレイヤ２において異常が検出された場合、無線基地局ｅＮＢ＃１に対して、所定通知を行うように構成されている。【選択図】図１
2014057238.tif 000002
【特許請求の範囲】
【請求項１】
移動局が第１無線基地局配下の第１セル及び第２無線基地局配下の第２セルを介してキャリアアグリゲーションを行うことができるように構成されている移動通信システムであって、
前記第１無線基地局は、前記移動局との間で、制御信号及びデータ信号を送受信することができるように構成されており、
前記第２無線基地局は、前記移動局との間で、データ信号を送受信することができ、制御信号を送受信することができないように構成されており、
前記第２無線基地局は、前記移動局との間の下りリンクのレイヤ２において異常が検出された場合、前記第１無線基地局に対して、所定通知を行うように構成されていることを特徴とする移動通信システム。
【請求項２】
移動局が第１無線基地局配下の第１セル及び第２無線基地局配下の第２セルを介してキャリアアグリゲーションを行うことができるように構成されている移動通信システムであって、
前記第１無線基地局は、前記移動局との間で、制御信号及びデータ信号を送受信することができるように構成されており、
前記第２無線基地局は、前記移動局との間で、データ信号を送受信することができ、制御信号を送受信することができないように構成されており、
前記移動局は、前記第２無線基地局との間の上りリンクのレイヤ２において異常が検出された場合、前記第１無線基地局に対して、所定通知を行うように構成されていることを特徴とする移動通信システム。
【請求項３】
移動局が第１無線基地局配下の第１セル及び第２無線基地局配下の第２セルを介してキャリアアグリゲーションを行うことができるように構成されており、該第１無線基地局は、該移動局との間で、制御信号及びデータ信号を送受信することができるように構成されており、該第２無線基地局は、該移動局との間で、データ信号を送受信することができ、制御信号を送受信することができないように構成されている移動通信システムにおいて該第２無線基地局として機能することができる無線基地局であって、
前記移動局との間の下りリンクのレイヤ２において異常が検出された場合、前記第１無線基地局に対して、所定通知を行うように構成されていることを特徴とする無線基地局。
【請求項４】
第１無線基地局配下の第１セル及び第２無線基地局配下の第２セルを介してキャリアアグリゲーションを行うことができるように構成されている移動局であって、
前記第１無線基地局との間で、制御信号及びデータ信号を送受信することができるように構成されており、
前記第２無線基地局との間で、データ信号を送受信することができ、制御信号を送受信することができないように構成されており、
前記第２無線基地局との間の上りリンクのレイヤ２において異常が検出された場合、前記第１無線基地局に対して、所定通知を行うように構成されていることを特徴とする移動局。
【発明の詳細な説明】
【技術分野】
【０００１】
本発明は、移動通信システム、無線基地局及び移動局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、図７（ａ）に示すように、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｓｉｔｅ  ＣＡ」の導入が検討されている（図７（ｂ）参照）。
【０００４】
例えば、「Ｉｎｔｅｒ-ｓｉｔｅ  ＣＡ」を用いて、図７（ｂ）に示すように、信頼性の必要なＣ-ｐｌａｎｅ信号については、ＳＲＢ（Ｓｉｇｎａｌｉｎｇ  Ｒａｄｉｏ  Ｂｅａｒｅｒ）を介して無線基地局ｅＮＢ＃１（マクロｅＮＢ）配下のセル＃１（マクロセル）で通信を行い、広帯域通信の必要なＵ-ｐｌａｎｅ信号については、ＤＲＢ（Ｄａｔａ  Ｒａｄｉｏ  Ｂｅａｒｅｒ）を介して無線基地局ｅＮＢ＃１０（スモールｅＮＢ）配下のセル＃１０（スモールセル）で通信を行うといった運用も考えられる。
【０００５】
このように、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行う場合、図８に示すように、基本的には、無線基地局ｅＮＢ＃１が、移動局ＵＥと無線基地局ｅＮＢ＃１/無線基地局ｅＮＢ＃１０との間の接続性や設定のハンドリングを行うことが想定される。
【０００６】
かかる場合、基本的には、セル＃１（マクロセル）を信頼性の高いＰｃｅｌｌ（Ｐｒｉｍａｒｙ  Ｃｅｌｌ）に設定し、セル＃１０を付随的なＳｃｅｌｌ（Ｓｅｃｏｎｄａｒｙ  Ｃｅｌｌ）として設定することが想定される。
【０００７】
また、ＬＴＥ方式では、レイヤ２は、異常（状態不一致）を検出した場合、ＲＲＣ（Ｒａｄｉｏ  Ｒｅｓｏｕｒｃｅ  Ｃｏｎｔｒｏｌ）レイヤに対して、その旨を通知して、レイヤ２リセットを行うことが規定されている。
【０００８】
レイヤ２において検出される異常には、例えば、ＲＬＣ（Ｒａｄｉｏ  Ｌｉｎｋ  Ｃｏｎｔｒｏｌ）における最大再送回数の超過や、ＲＡ（Ｒａｎｄｏｍ  Ａｃｃｅｓｓ）手順の失敗（「ＲＡ  ｐｒｅａｍｂｌｅ」の最大再送回数の超過）等が想定される。
【０００９】
また、下りリンクでは、無線基地局ｅＮＢが、移動局ＵＥに対して、「Ｉｎｔｒａ-ｃｅｌｌ  ＨＯ」を行うように指示することによって、すなわち、同じＰｃｅｌｌ（Ｐｒｉｍａｒｙ  ｃｅｌｌ）へのハンドオーバを行うように指示することによって、レイヤ２リセットを行うように構成されている。
【００１０】
ここで、移動局ＵＥが、「Ｉｎｔｒａ-ｃｅｌｌ  ＨＯ」を行った場合、設定されているＳｃｅｌｌは、全て通信不能な状態（「ｄｅａｃｔｉｖｅ状態」）に遷移する。
【００１１】
一方、上りリンクでは、移動局ＵＥが、再接続手順を行うことによって、レイヤ２リセットを行うように構成されている。
【００１２】
かかる場合、移動局ＵＥは、Ｓｃｅｌｌ等を含む現状の設定を解放して、無線基地局ｅＮＢとの間のベアラ（接続）を再度確立するように構成されている。
【先行技術文献】
【非特許文献】
【００１３】
【非特許文献１】３ＧＰＰ  ３６.３００
【発明の概要】
【発明が解決しようとする課題】
【００１４】
上述のように、既存のＬＴＥ方式では、「Ｉｎｔｅｒ-ｓｉｔｅ  ＣＡ」が行われている場合には、下りリンクにおいて、特定のＤＲＢでレイヤ２における異常が検出された場合、「Ｉｎｔｒａ-ｃｅｌｌ  ＨＯ」が行われ、全てのＳｃｅｌｌが「ｄｅａｃｔｉｖｅ状態」になってしまい、上りリンクにおいて、ＳＲＢ及びＤＲＢでレイヤ２における異常が検出された場合、再接続手順が行われ、全てのＳｃｅｌｌが解放されてしまう。
【００１５】
しかしながら、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１１/＃１２配下のセル＃１１/＃１２で通信を行うという運用が行われる場合、無線基地局ｅＮＢ＃１２（スモールｅＮＢ）と移動局ＵＥとの間で、ＳＲＢが設定されていないため、下りリンクにおいて、特定のＤＲＢ＃１２でレイヤ２における異常が検出された場合であっても、かかる移動局ＵＥに対して「Ｉｎｔｒａ-ｃｅｌｌ  ＨＯ」手順を指示することができないという問題点があった（図９参照）。
【００１６】
また、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃＃１１/＃１２配下のセル＃＃１１/＃１２で通信を行うという運用が行われる場合に、上りリンクにおいて、特定のＤＲＢ＃１２でレイヤ２における異常が検出された場合には、レイヤ２における異常が検出されていない他のＤＲＢ（ＤＲＢ＃１/＃１１）についても再度再確立する必要があり、スループットの劣化が懸念されるという問題点があった（図９参照）。
【００１７】
そこで、本発明は、上述の課題に鑑みてなされたものであり、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行うという運用が行われる場合であっても、レイヤ２における異常が検出された場合に、適切な対応を取ることができる移動通信システム、無線基地局及び移動局を提供することを目的とする。
【課題を解決するための手段】
【００１８】
本発明の第１の特徴は、移動局が第１無線基地局配下の第１セル及び第２無線基地局配下の第２セルを介してキャリアアグリゲーションを行うことができるように構成されている移動通信システムであって、前記第１無線基地局は、前記移動局との間で、制御信号及びデータ信号を送受信することができるように構成されており、前記第２無線基地局は、前記移動局との間で、データ信号を送受信することができ、制御信号を送受信することができないように構成されており、前記第２無線基地局は、前記移動局との間の下りリンクのレイヤ２において異常が検出された場合、前記第１無線基地局に対して、所定通知を行うように構成されていることを要旨とする。
【００１９】
本発明の第２の特徴は、移動局が第１無線基地局配下の第１セル及び第２無線基地局配下の第２セルを介してキャリアアグリゲーションを行うことができるように構成されている移動通信システムであって、前記第１無線基地局は、前記移動局との間で、制御信号及びデータ信号を送受信することができるように構成されており、前記第２無線基地局は、前記移動局との間で、データ信号を送受信することができ、制御信号を送受信することができないように構成されており、前記移動局は、前記第２無線基地局との間の上りリンクのレイヤ２において異常が検出された場合、前記第１無線基地局に対して、所定通知を行うように構成されていることを要旨とする。
【００２０】
本発明の第３の特徴は、移動局が第１無線基地局配下の第１セル及び第２無線基地局配下の第２セルを介してキャリアアグリゲーションを行うことができるように構成されており、該第１無線基地局は、該移動局との間で、制御信号及びデータ信号を送受信することができるように構成されており、該第２無線基地局は、該移動局との間で、データ信号を送受信することができ、制御信号を送受信することができないように構成されている移動通信システムにおいて該第２無線基地局として機能することができる無線基地局であって、前記移動局との間の下りリンクのレイヤ２において異常が検出された場合、前記第１無線基地局に対して、所定通知を行うように構成されていることを要旨とする。
【００２１】
本発明の第４の特徴は、第１無線基地局配下の第１セル及び第２無線基地局配下の第２セルを介してキャリアアグリゲーションを行うことができるように構成されている移動局であって、前記第１無線基地局との間で、制御信号及びデータ信号を送受信することができるように構成されており、前記第２無線基地局との間で、データ信号を送受信することができ、制御信号を送受信することができないように構成されており、前記第２無線基地局との間の上りリンクのレイヤ２において異常が検出された場合、前記第１無線基地局に対して、所定通知を行うように構成されていることを要旨とする。
【発明の効果】
【００２２】
以上説明したように、本発明によれば、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行うという運用が行われる場合であっても、レイヤ２における異常が検出された場合に、適切な対応を取ることができる移動通信システム、無線基地局及び移動局を提供することができる。
【図面の簡単な説明】
【００２３】
【図１】本発明の第１の実施形態に係る移動通信システムの全体構成図である。
【図２】本発明の第１の実施形態に係る無線基地局ｅＮＢ＃１１/＃１２の機能ブロック図である。
【図３】本発明の第１の実施形態に係る移動局ＵＥの機能ブロック図である。
【図４】本発明の第１の実施形態に係る無線基地局ｅＮＢ＃１の機能ブロック図である。
【図５】本発明の第１の実施形態に係る無線基地局ｅＮＢ＃１１/＃１２の動作を示すフローチャートである。
【図６】本発明の第１の実施形態に係る移動局ＵＥの動作を示すフローチャートである。
【図７】従来技術を説明するための図である。
【図８】従来技術を説明するための図である。
【図９】従来技術を説明するための図である。
【発明を実施するための形態】
【００２４】
（本発明の第１の実施形態に係る移動通信システム）
図１乃至図６を参照して、本発明の第１の実施形態に係る移動通信システムについて説明する。
【００２５】
図１に示すように、本実施形態に係る移動通信システムは、ＬＴＥ方式の移動通信システムであって、「Ｉｎｔｅｒ-ｓｉｔｅ  ＣＡ」を適用することができるように構成されている。
【００２６】
すなわち、本実施形態に係る移動通信システムでは、移動局ＵＥは、無線基地局ｅＮＢ＃１配下のセル＃１及び無線基地局ｅＮＢ＃１１/＃１２配下のセル＃１１/＃１２を介して「Ｉｎｔｅｒ-ｓｉｔｅ  ＣＡ」を行うことができるように構成されている。
【００２７】
また、本実施形態に係る移動通信システムは、セル＃１１を管理する無線基地局ｅＮＢ＃１１（スモールｅＮＢ）と、セル＃１２を管理する無線基地局ｅＮＢ＃１２（スモールｅＮＢ）と、セル＃１を管理する無線基地局ｅＮＢ＃１（マクロｅＮＢ）とを具備している。
【００２８】
ここで、セル＃１１/＃１２は、スモールセル（ファントムセル）であり、セル＃１は、マクロセルである。なお、セル＃１１/＃１２のカバレッジエリア及びセル＃１のカバレッジエリアは、少なくとも一部で重なるように配置されている。
【００２９】
無線基地局ｅＮＢ＃１と移動局ＵＥとの間では、Ｃ-ｐｌａｎｅベアラ＃１を介してＣ-ｐｌａｎｅ信号を送受信することができ、Ｕ-ｐｌａｎｅベアラ＃１を介してＵ-ｐｌａｎｅ信号を送受信することができるように構成されている。
【００３０】
無線基地局ｅＮＢ＃１１/＃１２と移動局ＵＥとの間では、Ｕ-ｐｌａｎｅベアラ＃１１/＃１２を介してＵ-ｐｌａｎｅ信号を送受信することができ、Ｃ-ｐｌａｎｅ信号を送受信することができないように構成されている。
【００３１】
図２に示すように、本実施形態に係る無線基地局ｅＮＢ＃１１/＃１２は、検出部１１と、通知部１２とを具備している。
【００３２】
検出部１１は、移動局ＵＥとの間の下りリンク（Ｕ-ｐｌａｎｅベアラ）のレイヤ２における異常（状態不一致）を検出するように構成されている。
【００３３】
例えば、検出部１１は、移動局ＵＥとの間の下りリンクにおいて、ＲＬＣにおける最大再送回数の超過等を検出した場合に、レイヤ２における異常を検出するように構成されている。
【００３４】
通知部１２は、検出部１１によって移動局ＵＥとの間の下りリンクのレイヤ２において異常が検出された場合に、無線基地局ｅＮＢ＃１に対して、Ｘ２やＳ１等の任意のインターフェイスを介して、所定通知を行うように構成されている。
【００３５】
例えば、かかる所定通知は、「レイヤ２において異常が検出されたこと」を直接通知するように構成されていてもよい。
【００３６】
また、かかる所定通知は、レイヤ２における異常が検出されたセルの識別情報（ＰＣＩやＣＧＩやＳｃｅｌｌＩｎｄｅｘ等）を通知するように構成されていてもよい。
【００３７】
また、かかる所定通知は、レイヤ２における異常が検出されたセルが属する無線基地局ｅＮＢの識別情報を通知するように構成されていてもよい。
【００３８】
或いは、通知部１２は、検出部１１によって移動局ＵＥとの間の下りリンクのレイヤ２において異常が検出された場合に、無線基地局ｅＮＢ＃１に対して、移動局ＵＥとの間で設定されているＵ-ｐｌａｎｅベアラの識別子及び当該Ｕ-ｐｌａｎｅベアラの削除や再設定の要求を送信するように構成されていてもよい。
【００３９】
かかる要求は、上述の所定通知とは別に送信されるように構成されていてもよいし、上述の所定通知によって送信されるように構成されていてもよい。
【００４０】
かかる要求は、「Ｃａｕｓｅ」として「レイヤ２において異常が検出されたこと」を通知するように構成されていてもよい。また、かかる要求は、移動局ＵＥの識別情報を一緒に通知するように構成されていてもよい。
【００４１】
なお、通知部１２は、検出部１１によって移動局ＵＥとの間の下りリンクのレイヤ２において異常が検出された場合に、マクロｅＮＢではなく、Ｃ-ｐｌａｎｅ信号を送受信することができるスモールｅＮＢに対して、所定通知を行うように構成されていてもよい。
【００４２】
図３に示すように、本実施形態に係る移動局ＵＥは、検出部２１と、通知部２２とを具備している。
【００４３】
検出部２１は、無線基地局ｅＮＢ＃１１/＃１２との間の上りリンク（Ｕ-ｐｌａｎｅベアラ）のレイヤ２における異常（状態不一致）を検出するように構成されている。
【００４４】
例えば、検出部２１は、無線基地局ｅＮＢ＃１１/＃１２との間の上りリンクにおいて、ＲＬＣにおける最大再送回数の超過や、ＲＡ手順の失敗（「ＲＡ  ｐｒｅａｍｂｌｅ」の最大再送回数の超過）等を検出した場合に、レイヤ２における異常を検出するように構成されている。
【００４５】
通知部２２は、検出部２１によって無線基地局ｅＮＢ＃１１/＃１２との間の上りリンクのレイヤ２において異常が検出された場合に、無線基地局ｅＮＢ＃１に対して、所定通知を行うように構成されている。
【００４６】
例えば、かかる所定通知は、「レイヤ２において異常が検出されたこと」を直接通知するように構成されていてもよい。
【００４７】
また、かかる所定通知は、レイヤ２における異常が検出されたセルの識別情報（ＰＣＩやＣＧＩやＳｃｅｌｌＩｎｄｅｘ等）を通知するように構成されていてもよい。
【００４８】
また、かかる所定通知は、レイヤ２における異常が検出されたセルが属する無線基地局ｅＮＢの識別情報を通知するように構成されていてもよい。
【００４９】
或いは、通知部１２は、検出部２１によって無線基地局ｅＮＢ＃１１/＃１２との間の上りリンクのレイヤ２において異常が検出された場合に、無線基地局ｅＮＢ＃１に対して、無線基地局ｅＮＢ＃１１/＃１２との間で設定されているＵ-ｐｌａｎｅベアラの識別子及び当該Ｕ-ｐｌａｎｅベアラの削除（又は、再設定）の要求を送信するように構成されていてもよい。
【００５０】
かかる要求は、上述の所定通知とは別に送信されるように構成されていてもよいし、上述の所定通知によって送信されるように構成されていてもよい。
【００５１】
かかる要求は、「Ｃａｕｓｅ」として「レイヤ２において異常が検出されたこと」を通知するように構成されていてもよい。また、かかる要求は、移動局ＵＥの識別情報を一緒に通知するように構成されていてもよい。
【００５２】
なお、通知部２２は、検出部２１によって無線基地局ｅＮＢ＃１１/＃１２との間の上りリンクのレイヤ２において異常が検出された場合に、マクロｅＮＢではなく、Ｃ-ｐｌａｎｅ信号を送受信することができるスモールｅＮＢに対して、所定通知を行うように構成されていてもよい。
【００５３】
かかる場合、所定通知を行うセル或いは無線基地局ｅＮＢは、予め通知されておいてもよい。
【００５４】
図４に示すように、本実施形態に係る無線基地局ｅＮＢ＃１は、受信部３１と、制御部３２とを具備している。
【００５５】
受信部３１は、無線基地局ｅＮＢ＃１１/＃１２や移動局ＵＥから各種信号を受信するように構成されている。
【００５６】
例えば、受信部３１は、無線基地局ｅＮＢ＃１１/＃１２や移動局ＵＥから、上述の所定通知や要求を受信するように構成されている。
【００５７】
制御部３２は、上述の所定通知や要求に基づいて、該当するＵ-ｐｌａｎｅベアラの削除や再設定を行うように構成されている。
【００５８】
ここで、制御部３２は、上述のＵ-ｐｌａｎｅベアラの削除や再設定と同時に、該当する無線基地局ｅＮＢ＃１１/＃１２（スモールｅＮＢ）の削除や再設定を行うように構成されていてもよい。
【００５９】
以下、図５及び図６を参照して、本実施形態に係る移動通信システムの動作について説明する。
【００６０】
第１に、図５を参照して、本実施形態に係る無線基地局ｅＮＢ＃１１/＃１２の動作について説明する。
【００６１】
図５に示すように、無線基地局ｅＮＢ＃１１/＃１２は、ステップＳ１０１において、移動局ＵＥとの間の下りリンク（Ｕ-ｐｌａｎｅベアラ）のレイヤ２における異常（状態不一致）が発生しているか否かについて判定する。
【００６２】
「ＹＥＳ」の場合、本動作は、ステップＳ１０２に進み、「ＮＯ」の場合、本動作は、終了する。
【００６３】
ステップＳ１０２において、無線基地局ｅＮＢ＃１１/＃１２は、無線基地局ｅＮＢ＃１に対して、所定通知を行う。
【００６４】
無線基地局ｅＮＢ＃１は、かかる所定通知に基づいて、該当するＵ-ｐｌａｎｅベアラの削除や再設定を行う。
【００６５】
第２に、図６を参照して、本実施形態に係る移動局ＵＥの動作について説明する。
【００６６】
図６に示すように、移動局ＵＥは、ステップＳ２０１において、無線基地局ｅＮＢ＃１１/＃１２との間の上りリンク（Ｕ-ｐｌａｎｅベアラ）のレイヤ２における異常（状態不一致）が発生しているか否かについて判定する。
【００６７】
「ＹＥＳ」の場合、本動作は、ステップＳ２０２に進み、「ＮＯ」の場合、本動作は、終了する。
【００６８】
ステップＳ２０２において、移動局ＵＥは、無線基地局ｅＮＢ＃１に対して、所定通知を行う。
【００６９】
無線基地局ｅＮＢ＃１は、かかる所定通知に基づいて、該当するＵ-ｐｌａｎｅベアラの削除や再設定を行う。
【００７０】
本実施形態に係る移動通信システムによれば、無線基地局ｅＮＢ＃１１/＃１２が、移動局ＵＥとの間の下りリンク（Ｕ-ｐｌａｎｅベアラ）のレイヤ２における異常（状態不一致）を検出した場合に、無線基地局ｅＮＢ＃１に対して、その旨を通知することができるため、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１１/＃１２配下のセル＃１１/＃１２で通信を行うという運用が行われる場合であっても、無線基地局ｅＮＢ＃１は、レイヤ２における異常が検出された場合に適切な対応を取ることができる。
【００７１】
同様に、本実施形態に係る移動通信システムによれば、移動局ＵＥが、無線基地局ｅＮＢ＃１１/＃１２との間の上りリンク（Ｕ-ｐｌａｎｅベアラ）のレイヤ２における異常（状態不一致）を検出した場合に、無線基地局ｅＮＢ＃１に対して、その旨を通知することができるため、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１１/＃１２配下のセル＃１１/＃１２で通信を行うという運用が行われる場合であっても、無線基地局ｅＮＢ＃１は、レイヤ２における異常が検出された場合に適切な対応を取ることができる。
【００７２】
以上に述べた本実施形態の特徴は、以下のように表現されていてもよい。
【００７３】
本実施形態の第１の特徴は、移動局ＵＥが無線基地局ｅＮＢ＃１（第１無線基地局）配下のセル＃１（第１セル）及び無線基地局ｅＮＢ＃１１/＃１２（第２無線基地局）配下のセル＃１１/＃１２（第２セル）を介して「Ｉｎｔｅｒ-ｓｉｔｅ  ＣＡ（キャリアアグリゲーション）」を行うことができるように構成されている移動通信システムであって、無線基地局ｅＮＢ＃１は、移動局ＵＥとの間で、Ｃ-ｐｌａｎｅ信号（制御信号）及びＵ-ｐｌａｎｅ信号（データ信号）を送受信することができるように構成されており、無線基地局ｅＮＢ＃１１/＃１２は、移動局ＵＥとの間で、Ｕ-ｐｌａｎｅ信号を送受信することができ、Ｃ-ｐｌａｎｅ信号を送受信することができないように構成されており、無線基地局ｅＮＢ＃１２は、移動局ＵＥとの間の下りリンクのレイヤ２において異常が検出された場合、無線基地局ｅＮＢ＃１に対して、所定通知を行うように構成されていることを要旨とする。
【００７４】
本実施形態の第２の特徴は、移動局ＵＥが無線基地局ｅＮＢ＃１配下のセル＃１及び無線基地局ｅＮＢ＃１１/＃１２配下のセル＃１１/＃１２を介して「Ｉｎｔｅｒ-ｓｉｔｅ  ＣＡ」を行うことができるように構成されている移動通信システムであって、無線基地局ｅＮＢ＃１は、移動局ＵＥとの間で、Ｃ-ｐｌａｎｅ信号及びＵ-ｐｌａｎｅ信号を送受信することができるように構成されており、無線基地局ｅＮＢ＃１１/＃１２は、移動局ＵＥとの間で、Ｕ-ｐｌａｎｅ信号を送受信することができ、Ｃ-ｐｌａｎｅ信号を送受信することができないように構成されており、移動局ＵＥは、無線基地局ｅＮＢ＃１２との間の上りリンクのレイヤ２において異常が検出された場合、無線基地局ｅＮＢ＃１に対して、所定通知を行うように構成されていることを要旨とする。
【００７５】
本実施形態の第３の特徴は、移動局ＵＥが無線基地局ｅＮＢ＃１配下のセル＃１及び無線基地局ｅＮＢ＃１１/＃１２配下のセル＃１１/＃１２を介して「Ｉｎｔｅｒ-ｓｉｔｅ  ＣＡ」を行うことができるように構成されており、無線基地局ｅＮＢ＃１は、移動局ＵＥとの間で、Ｃ-ｐｌａｎｅ信号及びＵ-ｐｌａｎｅ信号を送受信することができるように構成されており、無線基地局ｅＮＢ＃１１/＃１２は、移動局ＵＥとの間で、Ｕ-ｐｌａｎｅ信号を送受信することができ、Ｃ-ｐｌａｎｅ信号を送受信することができないように構成されている移動通信システムにおいて無線基地局ｅＮＢ＃１１/＃１２として機能することができる無線基地局ｅＮＢであって、移動局ＵＥとの間の下りリンクのレイヤ２において異常が検出された場合、無線基地局ｅＮＢ＃１に対して、所定通知を行うように構成されていることを要旨とする。
【００７６】
本実施形態の第４の特徴は、無線基地局ｅＮＢ＃１配下のセル＃１及び無線基地局ｅＮＢ＃１１/＃１２配下のセル＃１１/＃１２を介して「Ｉｎｔｅｒ-ｓｉｔｅ  ＣＡ」を行うことができるように構成されている移動局ＵＥであって、無線基地局ｅＮＢ＃１との間で、Ｃ-ｐｌａｎｅ信号及びＵ-ｐｌａｎｅ信号を送受信することができるように構成されており、無線基地局ｅＮＢ＃１１/＃１２との間で、Ｕ-ｐｌａｎｅ信号を送受信することができ、Ｃ-ｐｌａｎｅ信号を送受信することができないように構成されており、無線基地局ｅＮＢ＃１２との間の上りリンクのレイヤ２において異常が検出された場合、無線基地局ｅＮＢ＃１に対して、所定通知を行うように構成されていることを要旨とする。
【００７７】
なお、上述の移動局ＵＥや無線基地局ｅＮＢ＃１/＃１０の動作は、ハードウェアによって実施されてもよいし、プロセッサによって実行されるソフトウェアモジュールによって実施されてもよいし、両者の組み合わせによって実施されてもよい。
【００７８】
また、上述した例では、レイヤ２における異常の検出契機として、ＲＬＣにおける最大再送超過やＲＡ（Ｒａｎｄｏｍ  Ａｃｃｅｓｓ）手順の失敗（「ＲＡ  ｐｒｅａｍｂｌｅ」の最大再送回数の超過）を例に挙げたが、例えば、ＭＡＣ（Ｍｅｄｉａ  Ａｃｃｅｓｓ  Ｃｏｎｔｒｏｌ）レイヤにおけるＨＡＲＱ（Ｈｙｂｒｉｄ-ＡＲＱ）再送回数超過や、ＨＡＲＱ再送超過したＭＡＣ-ＰＤＵ数の閾値超過を契機としてもよいし、ＰＤＣＰ（Ｐａｃｋｅｔ  Ｄａｔａ  Ｃｏｎｖｅｒｇｅｎｃｅ  Ｐｒｏｔｏｃｏｌ）レイヤにおけるＰＤＣＰ-ＰＤＵ/ＳＤＵ破棄数やＲＯＨＣ（ヘッダ圧縮）伸張処理失敗、或いは、秘匿解除匿処理の失敗を用いてもよい。
【００７９】
或いは、レイヤ２における異常の検出契機として、無線基地局ｅＮＢからの同期要求信号の再送超過により検出されてもよいし「Ｉｎｔｅｒ-ｓｉｔｅ  ＣＡ」の設定時における設定失敗（例えば、設定を行う際に用いるタイマのタイムアウト）としてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/＃１０内に設けられていてもよい。また、かかる記憶媒体及びプロセッサは、ディスクリートコンポーネントとして移動局ＵＥや無線基地局ｅＮＢ＃１/＃１０内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８３】
ｅＮＢ＃１/＃１１/＃１２…無線基地局
ＵＥ…移動局
１１、１２…検出部
１２、２２…通知部
３１…受信部
３２…制御部
【図１】
2014057238.tif 000003
【図２】
2014057238.tif 000004
【図３】
2014057238.tif 000005
【図４】
2014057238.tif 000006
【図５】
2014057238.tif 000007
【図６】
2014057238.tif 000008
【図７】
2014057238.tif 000009
【図８】
2014057238.tif 000010
【図９】
2014057238.tif 000011